(57)【要約】【課題】デジタルカメラ等の収容物の表面に設けられる液晶モニター等を確実に保護することができ、しかも、上記収容物をケースに出し入れする際にケースのまわりに大きなスペースを必要としないケースを提供する。【解決手段】上面に開口部１ａが形成されこの上面開口部１ａからデジタルカメラ２を出し入れ自在に収容するケース本体１と、ケース本体１の上面開口部１ａを覆う上側板１５およびケース本体１の相対向する側面に対面状に配設される一対の側板１３，１４を有するケース蓋３とを備えており、ケース蓋３の両側板１３，１４の少なくとも一方に、ケース本体１の下部を回動自在に固定し、ケース本体１に収容したデジタルカメラ２をケース蓋３の上側板１５で覆う状態と、ケース本体１を回動させデジタルカメラ２をケース蓋３外に露呈させてケース本体１から取り出しうる状態とに切り換え可能にしている。【選択図】図７
2006082815.tif 000002
【特許請求の範囲】
【請求項１】
上面に開口部が形成されこの上面開口部から収容物を出し入れ自在に収容するケース本体と、このケース本体の上面開口部を覆う上面板および上記ケース本体の相対向する側面に対面状に配設される一対の側面板を有するケース蓋とを備え、このケース蓋の両側面板の少なくとも一方に、上記ケース本体の下部を回動自在に固定し、上記収容物を収容したケース本体の上記収容物をケース蓋の上面板で覆う状態と、上記収容物を収容したケース本体を回動させ上記収容物をケース蓋外に露呈させて上記上面開口部から取り出しうる状態とに切り換え可能に構成したことを特徴とするケース。
【請求項２】
上記ケース蓋の上面板に孔を穿設し、上記ケース本体の上部から紐状体を延設し上記上面板の孔を挿通してケース蓋外に突出させ、上記ケース蓋から突出する上記紐状体の部分に、上記上面板の孔より大きいストッパーを設けた請求項１記載のケース。
【請求項３】
上記収容物の表面に液晶画面が設けられている請求項１または２記載のケース。
【発明の詳細な説明】
【技術分野】
【０００１】
本発明は、デジタルカメラ等の携帯用の各種小形製品を収容するのに用いられるケースに関するものである。
【背景技術】
【０００２】
従来から、デジタルカメラ，小形ムービーカメラ，携帯電話等の携帯用の各種小形製品（例えば、小形家電製品）では、その表面に液晶モニター等が設けられているため、デジタルカメラ等をカバン，バッグ等に収容して持ち運んだり、自宅の引き出し等に他の製品と一緒に保管したりする場合には、図８に示すようなケースに収容して液晶モニター等を保護するようにしている。上記ケースは、通常、可撓性に優れた材質で作製されており、上面に開口部を有する収容部２１と、この収容部２１の背面から延びる蓋部２２とからなり、上記収容部２１の前面と、この収容部２１の前面に固定した帯状体２１ａとの間に、蓋部挿通用隙間（図示せず）を設けている。そして、デジタルカメラ２３等をカバン等に入れて持ち運ぶ場合等には、デジタルカメラ２３等を収容部２１に収容したのち蓋部２２を前側に折り曲げてデジタルカメラ２３等の上端部を覆い、蓋部２２の下部を上記蓋部挿通用隙間に挿通して閉蓋するようにしている。また、使用時には、蓋部２２の下部を上記蓋部挿通用隙間から引き出して蓋部２２を開蓋し、デジタルカメラ２３等を収容部２１から取り出すようにしている。
【発明の開示】
【発明が解決しようとする課題】
【０００３】
しかしながら、近年、デジタルカメラ２３等の表面に設けられる液晶モニター等が大形化しているため、この液晶モニター等を確実に保護することのできるケースが必要とされている。そこで、上記ケースを金属板や厚紙等で作製することが考えられるが、この場合には、金属板や厚紙等が可撓性に劣るため、蓋部２２の閉蓋時および開蓋時に、ケースのまわりに大きなスペースを必要とする。そこで、デジタルカメラ２３等の収容物の表面に設けられる液晶モニター等を確実に保護することができ、しかも、上記収容物をケースに出し入れする際に、ケースのまわりに大きなスペースを必要としないケースの提案が強く要望されている。
【０００４】
本発明は、このような事情に鑑みなされたもので、デジタルカメラ等の収容物の表面に設けられる液晶モニター等を確実に保護することができ、しかも、上記収容物をケースに出し入れする際にケースのまわりに大きなスペースを必要としないケースの提供をその目的とする。
【課題を解決するための手段】
【０００５】
上記の目的を達成するため、本発明のケースは、上面に開口部が形成されこの上面開口部から収容物を出し入れ自在に収容するケース本体と、このケース本体の上面開口部を覆う上面板および上記ケース本体の相対向する側面に対面状に配設される一対の側面板を有するケース蓋とを備え、このケース蓋の両側面板の少なくとも一方に、上記ケース本体の下部を回動自在に固定し、上記収容物を収容したケース本体の上記収容物をケース蓋の上面板で覆う状態と、上記収容物を収容したケース本体を回動させ上記収容物をケース蓋外に露呈させて上記上面開口部から取り出しうる状態とに切り換え可能に構成したという構成をとる。
【発明の効果】
【０００６】
すなわち、本発明のケースは、上面に開口部が形成されたケース本体の下部を、ケース蓋の（上記ケース本体の相対向する側面に対面状に配設される）一対の側面板の少なくとも一方に回動自在に固定し、上記ケース本体に収容した収容物をケース蓋の（上記ケース本体の上面開口部を覆う）上面板で覆う状態と、上記ケース本体を回動させ上記収容物をケース蓋外に露呈させて上記上面開口部から取り出しうる状態とに切り換えることができる。したがって、収容物をカバン等に収容して持ち運ぶ場合等には、上記ケース本体に収容した収容物をケース蓋の上面板で覆う状態にし、使用する場合には、上記ケース本体をケース蓋に対し回動状にスライドさせてケース蓋外に移動させ、その状態で収容物を上記ケース本体の上面開口部から取り出したり、収容したりすることができる。このように、本発明のケースでは、ケース蓋に対しケース本体を回動状にスライドさせるだけで、収容物をケース本体の上面開口部から出し入れすることができ、ケースのまわりに大きなスペースを必要としない。このため、ケース蓋を金属板，厚紙等の硬質なものを用いて作製することができ、このケース蓋でケース本体内の収容物を確実に保護することができる。
【０００７】
また、上記ケース蓋の上面板に孔を穿設し、上記ケース本体の上部から紐状体を延設し上記上面板の孔を挿通してケース蓋外に突出させ、上記ケース蓋から突出する上記紐状体の部分に、上記上面板の孔より大きいストッパーを設けると、上記ケース本体がケース蓋に対して回動状にスライドするのに伴って上記紐状体がケース蓋側に引っ張られ、上記ストッパーがケース蓋の上面板に当接することで上記紐状体の移動が阻止され、上記ケース本体の回動が止まる。したがって、上記ストッパーの位置を適宜設定することにより、上記ケース本体の回動角度（すなわち、スライド距離）を適宜設定することができる。
【０００８】
また、上記収容物の表面に液晶画面が設けられていると、この液晶画面をケース蓋の両側面板で確実に保護することができる。
【発明を実施するための最良の形態】
【０００９】
つぎに、本発明の実施の形態を図面にもとづいて詳しく説明する。
【００１０】
図１〜図３は本発明のケースの一実施の形態を示している。これらの図において、１は上面に開口部１ａが形成された四角形状箱形の厚紙製のケース本体（図４参照）であり、その内部にはデジタルカメラ２が、その上端部２ａを上記上面開口部１ａから少し突出させた状態で、収容されている。このデジタルカメラ２には、その前後両側面の少なくとも一側面に液晶モニター（図示せず）が設けられている。また、上記ケース本体１には、その前後両側板１１，１２の両下側角部の一方（この実施の形態では、右・下角部）の近傍部分に、前後一対の挿通孔１１ａ，１２ａ（図６参照）が相対向する状態で穿設されており、これら各挿通孔１１ａ，１２ａに、後述する連結金具１６の軸部１６ａが挿通されている。
【００１１】
３は略長方形状の金属板（例えば、アルミニウム板）をコ字状に折り曲げ形成してなるケース蓋であり、上記ケース本体１の前後両側板１１，１２に対面状に配設される、相対向する前後一対の側板（側面板）１３，１４と、これら前後両側板１３，１４の上端面同士を連結する上側板（上面板）１５とからなっている。また、上記前後両側板１３，１４には、上記ケース本体１の前後両側板１１，１２の両挿通孔１１ａ，１２ａに対応する部分（この実施の形態では、右・下角部の近傍）に、前後一対の挿通孔１３ａ，１４ａが相対向する状態で穿設されており、これら各挿通孔１３ａ，１４ａに上記連結金具１６の軸部１６ａが挿通されている。これら両連結金具１６は、図６に示すように、上記各挿通孔１１ａ，１２ａ，１３ａ，１４ａに回動自在に挿通される軸部１６ａと、この軸部１６ａの前後両端部の外周面から突設された抜け出し防止用の鍔部１６ｂとからなり、これら両連結金具１６により、ケース蓋３に対しケース本体１を左右両方向に回動できるようにしている。ただし、この実施の形態では、ケース蓋３に対しケース本体１を右側に回動させると、回動途中でケース本体１の上面開口部１ａの左端部がケース蓋３の上側板１５に当たり、それ以上回動させることができないようになっている。
【００１２】
また、上記ケース本体１の上側板１５の一側部（この実施の形態では、右側部）には紐挿通孔１５ａが穿設されており、この紐挿通孔１５ａに紐４が挿通されている。この紐４は、１本の紐４を２つ折り状に折り曲げたのちその両端部を隣接させて上記ケース本体１の上端部の一側部（この実施の形態では、右側部）に縫製，接着等により固定したものであり（図５参照。この図５では、ケース蓋３を図示せず）、上記ケース蓋３の上側板１５の紐挿通孔１５ａを通り、上記ケース蓋３外に突出している。そして、上記突出している紐４の部分に合成樹脂製のストッパー１８が移動自在に取り付けられているとともに、その先端側に金属製の円環部材１９が移動自在に取り付けられている。上記ストッパー１８は、円柱形状に形成されており、その中央部に穿設した貫通孔１８ａ（図５参照）に、上記２つ折り状に折り曲げた紐４が移動自在に挿通されている。また、円環部材１９内には１本の紐４が挿通している。
【００１３】
上記の構成において、デジタルカメラ２をカバン等に収容して持ち運ぶ場合等には、ケース本体１の上面開口部１ａからケース本体１内にデジタルカメラ２を収容し、このデジタルカメラ２の上端部２ａをケース蓋３の上側板１５で覆う状態にする（図１参照）。この状態で、紐４を外側に引っ張りながら、ストッパー１８を上記上側板１５側に移動させてこの上側板１５の上面に当接させると、ケース本体１が紐４で引っ張られている状態になり、ケース本体１が回動しなくなる。また、使用する場合には、ストッパー１８を紐４の先端に移動させ（このとき、円環部材１９があるため、ストッパー１８は紐４から抜け出すことがない）、その状態で、ケース本体１を左側に回動状にスライドさせると、ストッパー１８が上記上側板１５の上面に当接するまでスライドする（図７参照）。これにより、デジタルカメラ２の上端部がケース蓋３の外部に露出し、デジタルカメラ２をケース本体１の上面開口部１ａから取り出すことができる。
【００１４】
上記のように、この実施の形態では、金属製のケース蓋３の前後両側板１３，１４により、デジタルカメラ２の液晶モニターを保護することができる。しかも、デジタルカメラ２をカバン等に収容して持ち運ぶ場合等には、デジタルカメラ２をケース本体１に収容しでケース蓋３の上側板１５で覆い、使用時には、ケース本体１を左側に回動状にスライドさせるだけで（すなわち、ワンタッチで）、デジタルカメラ２をケース本体１から取り出すことができる。このため、ケースのまわりに大きなスペースを必要とせず、ケース蓋３の材質として、上記のように金属板を用いることができる。しかも、紐４に設けたストッパー１８により、ケース本体１の止まる位置（すなわち、ケース本体１のスライド距離）を適宜設定することができる。
【００１５】
なお、上記実施の形態では、ストッパー１８，円環部材１９を設けた紐４を用い、ケース本体１の回動角度（すなわち、ケース本体１の止まる位置）を適宜設定しているが、これに限定するものではなく、連結金具１６に、ケース本体１の回動角度を設定するための手段を設ける等、他のどのような手段を設けてもよい。また、上記実施の形態では、ケース本体１の前後両側板１１，１２をケース蓋３の前後両側板１３，１４に回動自在に固定しているが、ケース本体１の前後両側板１１，１２の一方を、これに対応する上記ケース蓋３の前後両側板１３，１４の一方に回動自在に固定してもよい。
【００１６】
また、上記実施の形態において、紐４に代えて、ゴム紐等を用いてもよい。また、ケース蓋３を硬質合成樹脂板（例えば、ＡＢＳ［アクリロニトリルブタジエンスチレン共重合体］，ＰＯＭ［ポリアセタール］）や厚紙等で作製してもよい。また、ケース本体１は、どのような材質の物で作製してもよいが、好適には、硬質合成樹脂板（例えば、ＡＢＳ，ＰＯＭ）や厚紙等が用いられる。
【図面の簡単な説明】
【００１７】
【図１】本発明のケースの一実施の形態を示す斜視図である。
【図２】上記ケースを示す正面図である。
【図３】上記ケースを示す側面図である。
【図４】ケース本体とケース蓋とを示す斜視図である。
【図５】上記ケース本体と紐との説明図である。
【図６】上記ケース本体の要部の断面図である。
【図７】上記ケースの使用状態を示す斜視図である。
【図８】従来例を示す側面図である。
【符号の説明】
【００１８】
１  ケース本体
１ａ  上面開口部
２  デジタルカメラ
３  ケース蓋
１３，１４  側板
１５  上側板
【図１】
2006082815.tif 000003
【図２】
2006082815.tif 000004
【図３】
2006082815.tif 000005
【図４】
2006082815.tif 000006
【図５】
2006082815.tif 000007
【図６】
2006082815.tif 000008
【図７】
2006082815.tif 000009
【図８】
2006082815.tif 000010